(57)【要約】 【課題】  注射器に装着されるマルチニードルを提供すること。【解決手段】  本発明は、注射器とニードルハブを媒介に前記注射器に装着されるマルチニードルに関する。本発明によるマルチニードルは、注射器のノズルが嵌入される１つの入口及び前記入口と連通する複数の出口を有するニードルハブと前記ニードルハブの各出口に嵌入される複数のニードルを含んでなる。【選択図】  図２
2011509735.tif 000002
【特許請求の範囲】
【請求項１】
注射器のノズルが嵌入される１つの入口及び前記入口と連通する複数の出口を有するニードルハブと、
前記ニードルハブの各出口に嵌入される複数のニードルと、
前記各ニードルの尖端部のみが露出されるように前記ニードルハブの一側に形成されて前記ニードルの中間部分を囲む調節具と、を含んでなるマルチニードル。
【請求項２】
前記調節具は、前記ニードルハブの一側で一体で延伸し形成されることを特徴とする請求項１に記載のマルチニードル。
【請求項３】
前記調節具は、前記ニードルハブの一側で分離し装着ができるように嵌入されて形成されることを特徴とする請求項１に記載のマルチニードル。
【請求項４】
注射器のノズルが嵌入するように一端に形成され、他端に前記入口と連通する受容空間が具備された第１本体と、複数の出口が貫通し形成され、前記各出口が前記入口と連通するように前記受容空間に嵌入し固定される第２本体からなるニードルハブと、
前記第２本体の各出口に嵌入する複数のニードルと、を含んでなるマルチニードル。
【請求項５】
前記第２本体は、前記ニードルの尖端部のみが露出し、中間部分は覆蓋するように長く延伸されることを特徴とする請求項４に記載のマルチニードル。
【請求項６】
前記複数の出口と複数のニードルは一列に整列するように配置されることを特徴とする請求項１〜５のうちのいずれか１つに記載のマルチニードル。
【請求項７】
前記複数の出口と複数のニードルは、複数の列と行で整列するように配置されることを特徴とする請求項１〜５のうちのいずれか１つに記載のマルチニードル。
【請求項８】
前記ニードルハブに嵌入され、前記ニードルが露出しないように包んで保護する保護キャップをさらに含んでなる請求項１〜５のうちのいずれか１つに記載のマルチニードル。
【発明の詳細な説明】
【技術分野】
【０００１】
本発明は、注射器とニードルハブを媒介にして前記注射器に装着されるニードルに関する。
【背景技術】
【０００２】
一般的に、注射器は、シリンダーと前記シリンダー内に装着されるピストンを含んでなる。前記シリンダー内部には注射液などが保存され、シリンダーの端部には注射液が吐き出されるノーズルが備えられる。前記ピストンは、前記シリンダーに嵌入し、その先端には前記注射液をノーズル側に加圧するパッキンが設けられ、その後端には施術者がピストンを押すことのできる加圧板が備えられる。
【０００３】
注射液を、人体または動物などに注入するために、前記注射器にニードル（ｎｅｅｄｌｅ）を連結して使用する。ニードル１０は、図１に示すようにニードルハブ２０に連結された状態で注射器３０と別途に供給及び販売されることもでき、注射器と共に販売される。従って、注射液Ｌを人体または動物などに注入する際には、ニードル１０が備えられたニードルハブ２０を図１に示すように注射器３０のノーズル３１に嵌入して使用することになる。
【発明の概要】
【発明が解決しようとする課題】
【０００４】
最近、美容及び美容整形などに関心が多くなりつつあり、これによって美容及び美容整形分野においての注射施術が増加しているが、その代表的なものがフィラー及びトキシン（ｔｏｘｉｎ）などのような美容薬物を皮膚に注射する施術である。特に、薬物を注射する施術の際には薬物を皮膚の真皮層と脂肪層の間に注入することで、美容薬物を広い施術部位に均一に注射しなければならない。従って、薬物注射施術時には注射器のニードルを被施術者の皮膚に挿入した後、所定液の薬物を注入し、ニードルを抜いた後、他の部位に挿入して注射することを繰り返すことになる。しかし、このように繰り返される注射施術作業は、時間がかかるだけでなく、不便である。さらに、繰り返される注射施術の際、ニードルを皮膚に一定の深さで挿入しなければならないが、これは高度の集中力と技術が要求されるため、非常に難易である。ニードルの挿入の深さが異なる場合、薬物の効果が減少する問題が生じる。
【課題を解決するための手段】
【０００５】
上述の従来の注射施術時の問題点を解決するために本発明は、注射器のノズルが嵌入される１つの入口及び前記入口と連通する複数の出口を有するニードルハブと、前記ニードルハブの各出口に嵌入される複数のニードルと、前記各ニードルの尖端部のみが露出されるように前記ニードルハブの一側に形成され、前記ニードルの中間部分を囲む調節具を含んでなるマルチニードルを提供する。
【０００６】
このとき、前記調節具は、前記ニードルハブの一側で一体で延伸し形成されることができる。
【０００７】
または、前記調節具は、前記ニードルハブの一側で分離装着が可能になるように挿入して形成されることができる。
【０００８】
また、本発明は、注射器のノズルが嵌入されるように一端に入口が形成され、他端に前記入口と連通する受容空間が具備された第１本体と、複数の出口が貫通し形成されて、前記
各出口が前記入口と連通するように前記受容空間に嵌入し固定される第２本体からなるニードルハブ及び前記第２本体の各出口に嵌入する複数のニードルを含んでなるマルチニードルを提供する。
【０００９】
このとき、前記第２本体は、前記ニードルの尖端部のみが露出し、中間部分は覆蓋するように長く延伸されることができる。
【００１０】
上述の本発明によるマルチニードルで、前記複数の出口と複数のニードルは一列に整列するように配置されることができる。
【００１１】
また、前記複数の出口と複数のニードルは、複数の列と行で整列するように配置されることもできる。
【００１２】
また、前記ニードルハブに嵌入され、前記ニードルが露出しないように包んで保護する保護キャップをさらに含むことができる。
【発明の効果】
【００１３】
本発明によれば、注射器のノーズルに連結されるニードルハブに複数の出口が設けられ、各出口にニードルが配置される。従って、１つの注射器に複数のニードルを連結することができ、これによって、一回の施術で皮膚の広い部位に注射液を均一な深さで、均一な量を注射することができる。これは、繰り返される注射施術を容易かつ便利にするのみならず、施術の質を高める効果がある。
【００１４】
本発明によれば、また、ニードルの先端部のみを所定の長さで露出させる調節具が具備される。従って、本発明によるとニードルを施術の要する正確な深さほど皮膚に挿入して注射液を注射することができて施術の質を高め、副作用を顕著に減らす効果がある。
【図面の簡単な説明】
【００１５】
【図１】従来の注射器とニードルを利用して皮膚に注射する模様を示す概略図である。
【図２】本発明の一実施形態によるマルチニードルと注射器を示す斜視図である。
【図３】図２のマルチニードルを分解した断面図である。
【図４】図２のマルチニードルが注射器に結合された形態を示す断面図である。
【図５】本発明の他の実施形態によるマルチニードルを示す断面図である。
【図６】本発明のまた他の実施形態によるマルチニードルを示す断面図である。
【図７】本発明のさらに他の実施形態によるマルチニードルを示す斜視図である。
【図８】本発明によるマルチニードルを利用して皮膚に注射する模様を示す概略図である。
【図９】本発明のまた他の実施形態によるマルチニードルを示す斜視図である。
【発明を実施するための形態】
【００１６】
以下、前記目的が具体的に実現できるように本発明の実施形態が添付された図面を参照して説明する。本実施形態を説明するにあたって、同一構成に対しては同一名称及び符合を使用し、これによる付加説明は省略する。
【００１７】
図２は本発明の一実施形態によるマルチニードルと注射器を示す斜視図であり、図３は本発明の図２のマルチニードルを分解した断面図であり、図４は図２のマルチニードルが注射器に結合された形態を示す断面図である。
【００１８】
図２及び図４に示すように本発明の一実施形態によるマルチニードル１００は、注射器
１０１に連結して使用する。前記注射器１０１は、ピストン１２０とシリンダー１１０を含んでなり、前記シリンダー１１０の先端にはノズル１１５が突出されていて、前記ピストン１２０の先端にはパッキン１２５が備えられている。
【００１９】
本発明の一実施形態によるマルチニードル１００は、上述のように構成された注射器１０１のノズル１１５に装着されて使用される。このようなマルチニードル１００は、前記ノズル１１５に装着されるニードルハブ２００と前記ニードルハブ２００に装着される複数のニードル３１０を含んでなる。前記ニードルハブ２００には１つの入口２１１と複数の出口２２１が備えられる。前記ニードルハブ２００の入口２１１は、図２〜図４に示すように突出されていて、その内側に前記注射器１０１のノズル１１５が嵌入される。前記ニードルハブ２００の出口２２１は前記ニードルハブ２００の内側で前記入口２１１と連通される。従って、前記入口２１１を通じて前記ニードルハブ２００の内側に流入された注射液は前記複数の出口２２１を通じてニードルハブ２００の外側に吐き出される。前記ニードル３１０は、図２〜図４に示すように複数が具備されて各出口２２１に嵌入される。前記ニードル３１０は、前記出口２２１に圧入されて固定されることもできるが、図３及び図４に示すようにシリコンなどのような材質の密封固定材２３０が前記出口２２１とニードル３１０との間に充填されて固定されることもできる。
【００２０】
上述のように構成された本発明の一実施形態によるニードルハブ２００で前記出口２２１と前記ニードル３１０は、図２に示すように一列に整列して配列されることができる。これは、広い面積に一度で均一に注射施術できるようにするためである。しかし、本発明は、これに限定されない。他の実施形態として、図７に示すように前記出口２２１とニードル３１０は複数の列と行に整列するように配置されることもできる。すると、より広い面積に一度で均一に注射施術をすることができる。
【００２１】
一方、本発明の一実施形態によるニードルハブ２００は、製造の便宜のために図３及び図４に示すように２つの部材、つまり第１本体２１０と第２本体２２０を含んでなることができる。
【００２２】
前記第１本体２１０は、図４に示すように前記注射器１０１に連結されるもので、その一端には前記入口２１１が形成され、他端には受容空間２１５が具備される。前記入口２１１は図３に示すように前記第１本体２１０の一端から外側に突出された筒型で形成されているが、前記受容空間２１５は前記第１本体２１０の他端から内側に陥没された溝形態で形成される。ここで、前記受容空間２１５の底側の縁には図３に示すように段差２１７が形成される。このように第１本体２１０に備えられた入口２１１と受容空間２１５は、連通ホール２１３を通じて互いに連通される。
【００２３】
前記第２本体２２０には前記複数の出口２２１が貫通し形成され、各出口２２１には上述の複数のニードル３１０がそれぞれ配置される。各ニードル３１０は上述したように、各出口２２１に圧入されて固定されることもでき、密封固定材２３０を媒介にして固定されることもできる。前記第２本体２２０は、図４に示すように前記第１本体２１０に嵌入されて固定される。
【００２４】
ここで、前記第２本体２２０は、図４に示すように下端が前記段差２１７に安着するように前記第１本体２１０の受容空間２１５に嵌入されて固定される。従って、前記受容空間２１５の底と前記第２本体２２０の下端との間には前記段差２１７の高さほどの空間が確保され、上述のように確保された空間によって前記入口２１１と前記出口２２１が互いに連通するようになる。
【００２５】
上述のように構成された本発明の一実施形態によるマルチニードル１００で、前記ニー
ドル３１０は、図３及び図４に示すようにその尖端部のみが露出するように構成されることができる。そのために、前記第２本体２２０は長く延伸し、前記ニードル３１０の中間部分を覆蓋し、尖端部のみが露出するように構成される。ここで、前記ニードル３１０が露出される長さは、施術の目的に好適なニードルの挿入の深さと同一にすることが望ましい。例えば、本発明によるマルチニードル１００がトキシン及びフィラーなどの美容薬物液を注射するための目的で製造される場合、露出されるニードル３１０の尖端部の長さは表皮層Ｅより少々深く入って、真皮層Ｄと脂肪層Ｆの境界部位まで挿入できる長さになるようにすることが望ましい。
【００２６】
上述のように前記ニードルハブ２００がニードル３１０の中間部分を覆蓋し、尖端部のみが露出するように構成すると、前記ニードルハブ２００によって各ニードル３１０が皮膚に挿入される深さが均一に制限される。そうすると、図８に示すように施術者が前記ニードルハブ２００の端部が皮膚に接触するまでニードル３１０を皮膚に挿入する簡単な作業だけでも各ニードル３１０を正確な深さで皮膚に挿入して注射施術をすることができる。
【００２７】
一方、本発明によるマルチニードル１００で前記第２本体２２０は、上記とは異なって短く形成されることができる。このような例が図５に図示されている。図５に示すように第２本体２２０は、短く形成されて第１本体２１０の受容空間２１５に嵌入されて固定される。この実施形態において前記第２本体２２０が短く形成されるため、前記ニードル３１０は外部に長く露出される。
【００２８】
前記ニードル３１０が長く形成されると皮膚への挿入の深さを施術者の技術にのみ依存して制限しなければならないために、その作業が高度の集中力を必要とするのみならず、容易ではない。従って、図５の実施形態によるマルチニードル１００にはニードル３１０の挿入の深さを制限する調節具３５０がさらに備えらることができる。
【００２９】
前記調節具３５０は、前記ニードルハブ２００の一側、さらに詳しくは、前記第２本体２２０の一側に着脱可能になるように嵌入される。このために、例えば、前記第２本体２２０の外面には溝２２９が形成され、前記調節具３５０の下端には前記溝２２９に係合されるフック３５５が形成される。
【００３０】
前記調節具３５０には、図５に示すように複数の貫通孔３５１が形成されるが、各貫通孔３５１は、前記第２本体２２０の出口２２１と対向するように配置される。従って、前記調節具３５０が前記ニードルハブ２００の第２本体２２０に装着すると、各出口２２１に配置された各ニードル３１０が前記調節具３５０の各貫通孔３５１を通過した後、その尖端部のみが外部に露出される。前記調節具３５０を貫通した後、露出されるニードル３１０の尖端部の長さは、図４及び図８を参照して説明することと同様である。
【００３１】
上記のようにニードルハブ２００から着脱可能な調節具３５０が設けられると、施術目的に応じて前記調節具３５０を装着するか、または分離した後、注射施術ができるという長所がある。そして、前記調節具３５０を、長さを多様にしてニードル３１０の露出の長さを多様に変化させると、多様な種類の注射施術、つまり、皮膚への挿入の深さが異なる注射施術をさらに容易かつ便利にすることができるようになる。
【００３２】
一方、上述において、本発明によるニードルハブ２００が幾つかの本体からなる例が説明されている。しかし、本発明はこれに限定されない。他の例として、前記ニードルハブ２００は図６に示されたように一体で形成されることもできる。
【００３３】
この場合、前記調節具３５０は、図５に示すように、前記ニードルハブ２００から分離
可能に具備されることもできるが、ニードルハブ２００と一体で形成されることもできる。このように、一体で形成されたニードルハブ２００に前記ニードル３１０は、圧入されて固定されるか、または、図示のように密封固定材２３０によって固定される。
【００３４】
上述のように本発明によると、ニードル３１０の挿入の深さを調整し、制限できる調節具３５０が、図５に示すようにニードルハブ２００に装着されるように構成することもでき、図４及び図６に示すようにニードル２００の一側で一体で延伸するように構成することもできるようになる。
【００３５】
一方、本発明によるマルチニードル１００には保護キャップ３２０がさらに備えられることができる。前記保護キャップ３２０は図４に示すように、前記ニードルハブ２００に嵌入されて前記ニードル３１０の尖端部を包んで保護する。従って、前記保護キャップ３２０を前記ニードルハブ２００に嵌入すると、前記ニードル３１０が外部に露出しないため、安全に保管、運搬することができる。
【００３６】
このように本発明によるマルチニードル１００には図２に示すように一列に整列するように配置されるか、または、図７及び図８に示すように幾つかの列と行に整列するように配置された幾つかのニードル３１０が具備される。従って、本発明によるマルチニードル１００を利用して注射施術すると、図８に示すように一度で皮膚の何ヶ所の注射液を均一に注射することができるようになる。
【００３７】
このとき、前記ニードル３１０が皮膚内に挿入される深さは、前記調節具３５０またはニードルハブ２００自体によって一定に制限される。従って、本発明によると、注射液を皮膚内に均一な深さで注射することができるようになる。本発明によるマルチニードル１００を利用して皮膚に美容薬物液を注入した後には部位を変えて、図８に示すように注射すればよい。すると、広い部位を短時間で容易かつ正確に注射施術することができるようになる。
【００３８】
上述において、幾つかの実施形態が例示的に説明されたのにも関わらず、本発明がこの旨及び範疇内において、各種の変更例または修正例に想到し得ることは明らかであり、これらについても、当然に本発明の技術的範囲に属するものと了解される。
【００３９】
従って、上述の実施形態は、制限的なものではなく、例示的なものとされるべきであり、添付の請求項及びその同等な範囲内の全実施形態は、本発明の範疇内に含まれる。
【符号の説明】
【００４０】
１００  マルチニードル
２００  ニードルハブ
２１０  第１本体
２１１  入口
２１５  受容空間
２１７  段差
２２０  第２本体
２２１  出口
２２９  溝
３１０  ニードル
３２０  保護キャップ
３５０  調節具
３５１  貫通孔
３５５  フック
【図１】
2011509735.tif 000003
【図２】
2011509735.tif 000004
【図３】
2011509735.tif 000005
【図４】
2011509735.tif 000006
【図５】
2011509735.tif 000007
【図６】
2011509735.tif 000008
【図７】
2011509735.tif 000009
【図８】
2011509735.tif 000010
【図９】
2011509735.tif 000011
【国際調査報告】
2011509735.tif 000012
2011509735.tif 000013